(57)【要約】【課題】筆記具の胴体に密閉のために予め組み立てられた密閉モジュール組立体を取り外し可能に組み立てられることにより、作業が難しい密閉部品の組み立てを予め行うことができるので、生産工程が円滑になり、胴体と密閉モジュール組立体の分離によりそれぞれの不良発生時別個に処理することができるので、不良率を低減することができる筆記具の組立構造を提供する。【解決手段】筆記具の組立構造は押し操作によって作動するノック部が設けられ、中空の内部にはカートリッジが挿設される胴体と、前記胴体の前端部に取り外し可能に組み立てられ、内側に密閉および動作のためのモジュールが結合されている密閉モジュール組立体を含む。【選択図】図３
2018126963.tif 000002
【特許請求の範囲】
【請求項１】
押し操作によって作動するノック部が設けられ、中空の内部にはカートリッジが挿設される胴体と、
前記胴体の前端部に取り外し可能に組み立てられ、内側に密閉および動作のためのモジュールが結合されている密閉モジュール組立体を含む筆記具の組立構造であって、
前記密閉モジュール組立体は、
密閉のためのＯリングと、
前記Ｏリングに密着されるホルダと、
前記ホルダの内側に挿設されるリンクと、
前記リンクの前進移動に応じて回転するボールシャッターからなることを特徴とする筆記具の組立構造。  
【請求項２】
前記密閉モジュール組立体は、二つの前記Ｏリングの間に前端部に向けて、前記ホルダ、前記リンク、及び前記ボールシャッターの順序に予め組み立てられることを特徴とする請求項１に記載の筆記具の組立構造。
【請求項３】
前記密閉モジュール組立体は、その先端開口側に外部との空気の循環のために形成された空気循環孔をさらに備えることを特徴とする請求項１に記載の筆記具の組立構造。
【請求項４】
前記密閉モジュール組立体は、前記胴体にネジ締結またはしまりばめ方式で組み立てられることを特徴とする請求項１に記載の筆記具の組立構造。
【発明の詳細な説明】
【技術分野】
【０００１】
本発明は筆記具の組立構造に関するもので、より詳細にはボールペン、蛍光ペン、ローラペン、ボードマーカーペン、油性マーカーペン、サインペン、プラスチックペン、マーキングペンなどを含む筆記具の組立構造に関するものである。
【背景技術】
【０００２】
一般的に、筆記具は記録媒体を使用してその表面に情報を記録できるものであって、ボールペン、蛍光ペン、ローラペン、ボードマーカーペン、油性マーカーペン、サインペン、プラスチックペン、マーキングペンなどのその形態及びその方法が多様である。このような種類の筆記具は、円筒状の胴体を備えており、胴体にはチップが収容されると共に、チップを押すことができるように押し部材が設けられる出没式筆記具が大部分である。
【０００３】
例えば、このような筆記具の先行文献として本出願人が出願して登録を受けた、特許文献１に開示されたような「乾き防止装置を備えた出没式筆記具」がある。
【０００４】
「乾き防止装置を備えた出没式筆記具」は、図１に示すように、チップ４１を保護するために乾き防止装置を備えた出没式筆記具において、先端開口１１を一側に形成した軸筒１０にチップ４１を突出および没入させるように結合されたノック部３０と、ノック部３０とチップ４１が両端にそれぞれ結合された状態で軸筒１０の内部に挿入されているカートリッジ４０と、軸筒１０の内部でカートリッジ４０が弾発力により元の位置に戻るよう結合されたスプリング５０と、スプリング５０に支持されて軸筒１０の内部に固く結合されるＯリング６０と、Ｏリング６０によりその一端が被せられるように軸筒の内部に固く結合されるホルダ７０と、ホルダ７０の内部で摺動可能に結合されており、一端に形成されている複数の弾性スリットが移動範囲内でホルダ７０に沿って上下に移動し、弾性スリット８５の先端に形成されている係止部によりカートリッジ４０の段付き４８に係止されるリンク８０と、リンク８０の他端に形成されている平行ピン８２をピン溝９２に結合させているボール状ドア９０を含んでおり、ノック部３０の押し操作によってカートリッジ４０とリンク８０が固定状態のＯリング６０とホルダ７０から前進移動することにより、平行ピン８２がボール状ドア９０のピン溝９２を動かし、これによって、球面部７０ａに支持されているボール状ドア９０が回動軸９３を中心に回転されて軸筒の内部の開放状態になることによって、チップ４１が突出することである。
【０００５】
ここで、図に示すように、組み立てのためには軸筒１０の後端開口１４を介してカートリッジ４０、ホルダ７０、リンク８０、及びボール状ドア９０などの部品を順に挿入させて組み立てが行われる。
【０００６】
従って、長い円筒状の軸筒１０にいちいち組み立てることが難しく、密閉不良が発生すると、正しく動作が行われても不良と判定する。逆に正しく密閉が行われても、他の不良要因があれば、不良と判定しなければならない問題点がある。
【０００７】
さらに、軸筒１０の前端部には密閉のための部品が位置する。これらの密閉と出没作動のための部品は品質管理が難しいため、各モデルごとに部品を生産しなければならず、それによって、それぞれの生産設備が必要である。
【先行技術文献】
【特許文献】
【０００８】
【特許文献１】韓国登録特許第１０−０８１７２０２号公報
【発明の概要】
【発明が解決しようとする課題】
【０００９】
本発明は前述のような従来の問題点を解決するためになされたものであって、筆記具の胴体に密閉のために予め組み立てられた密閉モジュール組立体を取り外し可能に組み立てられることにより、作業が難しい密閉部品の組み立てを予め行うすることができるので、生産工程が円滑になり、胴体と密閉モジュール組立体の分離によりそれぞれの不良発生時別個に処理することができるので、不良率を低減することができる筆記具の組立構造を提供することにその目的がある。
【課題を解決するための手段】
【００１０】
前述した目的を達成するための本発明に係る筆記具の組立構造は、押し操作によって作動するノック部が設けられ、中空の内部にはカートリッジが挿設される胴体と、前記胴体の前端部に取り外し可能に組み立てられ、内側に密閉および動作のためのモジュールが結合されている密閉モジュール組立体を含むことができる。
【００１１】
好ましい前記密閉モジュール組立体は、密閉のためのＯリングと、前記Ｏリングに密着されるホルダと、前記ホルダの内側に挿設されるリンクと、前記リンクの前進移動に応じて回転するボールシャッターからなる。
【００１２】
また、前記密閉モジュール組立体は、二つの前記Ｏリングの間に前端部に向けて、前記ホルダ、前記リンク、及び前記ボールシャッターの順序に予め組み立てられることができる。
【００１３】
さらに、前記密閉モジュール組立体は、その先端開口側に外部との空気の循環のために形成された空気循環孔をさらに備えることができる。
【００１４】
またさらに、前記密閉モジュール組立体は、前記胴体にネジ締結またはしまりばめ方式で組み立てられることができる。
【発明の効果】
【００１５】
本発明に係る筆記具の組立構造によれば、胴体と密閉モジュール組立体の分離によりそれぞれの不良発生時別個に処理することができるので、不良率を低減することができる効果がある。
【００１６】
また、密閉モジュール組立体に密閉するためのモジュールを予め組み立てることにより、生産性が向上し、組み立て不良率が減少する効果がある。
【図面の簡単な説明】
【００１７】
【図１】従来の出没式筆記具を示す斜視図である。
【図２】本発明に係る筆記具を示す分離斜視図である。
【図３】本発明に係る筆記具の胴体と密閉モジュール組立体を示す斜視図及び部分断面斜視図である。
【図４】本発明に係る筆記具の密閉モジュール組立体を示す断面図である。
【図５】本発明に係る筆記具の使用状態を示す図である。
【発明を実施するための形態】
【００１８】
以下、添付した図面を参照して本発明に係る筆記具の組立構造の構成と作用を詳細に説明する。
【００１９】
ここで、図２は本発明に係る筆記具を示す分離斜視図であり、図３は本発明に係る筆記具の胴体と密閉モジュール組立体を示す斜視図及び部分断面斜視図であり、図４は本発明に係る筆記具の密閉モジュール組立体を示す断面図であり、図５は本発明に係る筆記具の使用状態を示す図である。
【００２０】
図２に示すように、本発明に係る筆記具は大きく、胴体１００と、胴体１００の一端部に取り外し可能に組み立てられる密閉モジュール組立体２００を設けたものである。胴体１００は上部に結合され、押し操作によってチップ１３８を突出および没入させるノック部１２０と、胴体１００の内部にスプリング１３７と共に挿入されているカートリッジ１３０を含むことができ、密閉モジュール組立体２００は第１、第２のＯリング２１０、２２０と、ホルダ２３０、リンク２４０、ボールシャッター２５０を含むことができる。
【００２１】
まず、胴体１００は合成樹脂材または金属材を用いて射出成形やモールド成形方法で製作することができ、中空管またはチューブ形状を有することができる。
【００２２】
このような胴体１００の一端にはノック部１２０を含んで後述するカートリッジ１３０を挿入結合させることができる内径サイズを有する後端開口１０４が形成され、他端には密閉モジュール組立体２００とのネジ締結のために、内周縁にネジ山が形成されたりしまりばめされるように前端開口が形成される。
【００２３】
そして、後端開口１０４と近接する周面上には、内部で有機的にクリップ部の固定とクリップ部の解除動作を可能に結合されたクリップ部１１０が設けられることができる。
【００２４】
胴体１００の後端開口１０４に結合され、押し操作によってチップ１３８を突出および没入させるノック部１２０は、ユーザの押し操作によって力をカートリッジ１３０に伝達するように後端開口１０４の内側の位置に設けられることができ、小口径の周面と大口径の周面が層をなすチューブ形状を有し、小口径側の一端が開口されており、大口径側の他端が閉鎖されている。
【００２５】
そして、カートリッジ１３０はインキの収容部位に対応するものであって、所定の容量の内部体積を有することができる。
【００２６】
このようなカートリッジ１３０は最大直径のタンク部１３２、このタンク部１３２よりも相対的に小径の接続部１３３、この接続部１３３よりも相対的に小径のチップ延長軸筒部１３４を一体型に有している。
【００２７】
また、チップ延長軸筒部１３４の先端にはタンク部１３２から通常のインキ供給方式（例えば、毛細管現象、圧力差、吸引など）によってタンク部１３２に保管しているいかなる内容物（例えば、インキ）などを、その筆記具の種類に対応した通常の供給方式に応じて供給することができるように、チップ１３８を挿入して固定することができる。
【００２８】
そして、チップ延長軸筒部１３４に挿入された後、タンク部１３２の接続部１３３の段付き面に支持されるようにスプリング１３７が載置されている。
【００２９】
スプリング１３７は作動時、カートリッジ１３０のストローク距離内でカートリッジ１３０を軸方向に付勢する役割をする。
【００３０】
例えば、カートリッジ１３０とノック部１２０が前進方向に所定ストローク距離ぐらい前進する場合、スプリング１４０は圧縮状態になりながら、内部には弾性エネルギーが蓄えられる。この弾性エネルギーにより付勢力の解除時には伸長しながら、スプリング１３７を元の状態に復帰させる弾性復帰力が提供される。ここで、カートリッジ１３０の所定ストローク距離は、ノック部１２０のストローク距離ないしチップ１３８が元の位置から突出する位置までの距離と同一である。また、カートリッジ１３０とノック部１２０が後進方向に復帰することができる解除状態の時に、スプリング１３７は弾性復帰力によりノック部１２０を含んでカートリッジ１３０に結合された構成要素を元の位置に復帰させる役割をする。
【００３１】
そして、再び図２乃至図４を参照して密閉モジュール組立体２００を説明すると、密閉モジュール組立体２００は胴体１００にネジ締結またはしまりばめ方式で組み立てることができ、二つのＯリング、即ち、第１のＯリング２１０と第２のＯリング２２０との間に前端部に向けて順にホルダ２３０と、ホルダ２３０の内側に挿設されるリンク２４０と、リンク２４０の前進移動に応じて回転するボールシャッター２５０の順序に予め組み立てることができる。
【００３２】
密閉モジュール組立体２００のケースは胴体１００の材質と同じ合成樹脂材や金属材からなることができ、コーン状の中空管の一端には先端開口２０２を形成することができる。
【００３３】
さらに、密閉モジュール組立体２００は先端開口２０２の内側に形成されている円周方向に沿って空気の循環のための空気循環孔２０３をさらに備えることができる。この空気循環孔２０３は先端開口２０２の内部に真空発生を抑制して円滑な作動関係を維持することができる。
【００３４】
そして、第１及び第２のＯリング２１０、２２０は密閉モジュール組立体２００の内周縁で気密性を維持するための手段であって、通常の水密ないし気密手段に使用するゴム、シリコン、軟質のプラスチックのうち、いずれかの材質で形成されている。
【００３５】
第１のＯリング２１０は胴体１００との結合部側に設けられ、第２のＯリング２２０は先端開口２０２の内側の半球面に密着して設けることができる。
【００３６】
そして、第１のＯリング２１０によりその一端が被せられるように密閉モジュール組立体２００の内部に固く結合されるホルダ２３０は、中空型ブッシングになり、前方部分には対向して穿孔された一対のヒンジ部２３２が形成されている。ヒンジ部２３２にはボールシャッター２５０が結合されているので、これを回動させながらも安定した支持面を提供する役割をする。
【００３７】
また、ホルダ２３０の後方部分の直径は第１のＯリング２１０と対応する直径を有することが好ましく、その内部にはヒンジ部２３２に垂直の直交方向に係止溝２３４が両側に一定の長さに形成されているので、後述するリンク２４０のガイドキー２４８のガイドラインを提供すると共に、弾性スリット２４２の遊び空間を形成する。
【００３８】
また、ホルダ２３０の内部に摺動可能に結合されるリンク２４０はチップ延長軸筒部１３４を挿入させるためのものであって、ホルダ２３０に向かう一端部には円周方向に所定の角度間隔を維持しながら、軸方向に一端のみを開放して切開した、対向する一対の弾性スリット２４２が形成されている。
【００３９】
また、リンク２４０は弾性スリット２４２から軸方向に沿って一体につながって形成される円筒状の前端部２４４を備えることができる。
【００４０】
前端部２４４は前進移動に応じてボールシャッター２５０を回転させる役割をするものであって、前端部２４４の両端には突出したピン２４６が形成される。
【００４１】
ピン２４６は後述するボールシャッター２５０のピン溝２５６に結合されることにより、リンク２４０の前進移動に応じてボールシャッター２５０を回転させる。
【００４２】
一方、弾性スリット２４２と前端部２４４との間における柱面には野球のホームプレート形状と類似したガイドキー２４８が形成され、弾性スリット２４２が形成されている同一線上に形成されることが好ましい。
【００４３】
前述したように、ガイドキー２４８はホルダ２３０の係止溝２３４に沿って移動することができる。
【００４４】
そして、ボールシャッター２５０はホルダ２３０に回転可能に結合され、回転によりチップを突出および密閉させるドアの役割をするものである。ボールシャッター２５０は略円球状の球面両側外周縁に向かって軸心を通りながら開放された貫通通路２５２が形成され、貫通通路２５２と直交する外側の中心部には両側にヒンジ軸２５４が突設されている。
【００４５】
ボールシャッター２５０はヒンジ軸２５４と近接する偏心位置に対向して形成されたピン溝２５６を有し、これは中心部に向かって傾斜して形成することができる。ピン溝２５６には後述するリンク２４０のピン２４６が位置し、偏心した位置から傾斜したピン溝２５６はピン２４６と結合された後、リンク２４０の前進移動によりボールシャッター２５０を制限されたサイズの回転角範囲内で回動させる力に変換させるカム溝と同様の役割を有することができる。
【００４６】
以上のような構成の本発明に係る筆記具の組立構造の作用を説明すると、まず密閉モジュール組立体２００の内部に第２のＯリング２２０を押し込み、続いて、順にホルダ２３０、リンク２４０、及びボールシャッター２５０の組立体を位置させ、第１のＯリング２１０をスライドさせて位置させる。
【００４７】
一方、胴体１００にはカートリッジ１３０とスプリング１３７を内部に位置させた後、ノック部１２０を結合させた状態になる。
【００４８】
この状態で、図５に示すように、様々なモデル別胴体１００の端部に予め密閉部が組み立てられた密閉モジュール組立体２００をネジ締結またはしまりばめ方式で組み立てることができる。
【００４９】
従って、従来には胴体１００と密閉モジュール組立体２００が一体に形成されているため、作動不良や密閉不良が発生する場合は、全ての製品を不良と廃棄処理したが、本発明においては密閉モジュール組立体２００が別に分離形成されているので、胴体１００の印刷不良や作動不良時には胴体１００のみを廃棄処分すれば良く、密閉不良の時には密閉モジュール組立体２００のみを廃棄すれば良い。
【００５０】
また、予め組み立てられた密閉モジュール組立体２００によって組み立て性が向上することができる。
【００５１】
前述したような筆記具の突出作動のため、ユーザーのスイッチロック操作ないしノック体の押し操作によってノック部１２０が極めて小さなストローク距離ぐらい押圧された場合、ノック部１２０とカートリッジ１３０が前進方向にストローク距離ぐらい移動した状態になる。
【００５２】
この時、スプリング１３７は前述した状況と同様であるが、前記の移動比率に対応してより一層増加したスプリング弾発力をカートリッジ１３０に作用させ、これによって、ホルダ２３０が固定された状態で、カートリッジ１３０と、それに結合されたリンク２４０はストロークの距離ぐらい移動されている。
【００５３】
次に、ユーザーがノック部１２０を所定ストローク距離ぐらいさらに圧押すると、前進するリンク２４０のピン２４６はボールシャッター２５０の傾斜したピン溝２５６に沿ってスライドすることにより、ホルダ２３０のヒンジ部２３２に含まれている回転可能に位置しているヒンジ軸２５４によってボールシャッター２５０を回転させ、リンク２４０のガイドキー２４８は固定されているホルダ２３０の係止溝２３４に沿って移動する。
【００５４】
従って、ボールシャッター２５０の貫通通路２５２はカートリッジ１３０の軸方向に一致して先端開口２０２に連通するようになる。
【００５５】
チップ１３８は先端開口２０２を抜け出て突出した状態を維持し、このような状態でユーザーは本発明の筆記具を使用することができる。
【００５６】
一方、筆記具の没入作動のため、ユーザーはクリップ部１１０解除操作を通じて突出した状態のチップ１３８を胴体１００の内部における元の位置に復帰させることができる。
【００５７】
ユーザーはクリップ部１１０を胴体１００からリリースされる方向に後進させるようにノック部１２０を圧押する。
【００５８】
これによって、圧縮されたスプリング１３７が伸びながら、ノック部１２０とカートリッジ１３０を後進させ、前進する時の逆順の過程を行う。
【産業上の利用可能性】
【００５９】
本発明に係る筆記具の組立構造は前述のような従来の問題点を解決するためになされたものであって、筆記具の胴体に密閉のために予め組み立てられた密閉モジュール組立体を取り外し可能に組み立てられることにより、作業が難しい密閉部品の組み立てを予め行うことができるので、生産工程が円滑になり、胴体と密閉モジュール組立体の分離によりそれぞれの不良発生時別個に処理することができるので、不良率を低減することができる。従って、本発明の産業利用性はきわめて高いものといえる。
【００６０】
以上、好ましい実施形態と図面によって本発明を説明したが、本発明はこれらによって限定されず、本発明が属する技術分野における通常の知識を有する者によって、本発明の技術思想と特許請求の範囲の均等範囲内で多様な修正及び変形が可能であることはもちろんである。
【符号の説明】
【００６１】
１００  胴体、１０４  後端開口
１１０  クリップ部、１２０  ノック部
１３０  カートリッジ、１３２  タンク部
１３３  連結部、１３４  チップ延長軸筒部
１３７  スプリング、１３８  チップ
２００  密閉モジュール組立体、２０２  先端開口
２１０、２２０  第１、第２のＯリング、２３０  ホルダ
２３２  ヒンジ部、２３４  係止溝
２４０  リンク、２４２  弾性スリット
２４４  前段部、２４６  ピン
２４８  ガイドキー、２５０  ボールシャッター
２５２  貫通通路、２５４  ヒンジ軸
２５６  ピン溝
【図１】
2018126963.tif 000003
【図２】
2018126963.tif 000004
【図３】
2018126963.tif 000005
【図４】
2018126963.tif 000006
【図５】
2018126963.tif 000007
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
押し操作によって作動するノック部が設けられ、中空の内部にはカートリッジが挿設される胴体と、
前記胴体の前端部に取り外し可能に組み立てられ、内側に密閉および動作のためのモジュールが結合されている密閉モジュール組立体を含む筆記具の組立構造であって、
前記密閉モジュール組立体は、
密閉のためのＯリングと、
前記Ｏリングに密着されるホルダと、
前記ホルダの内側に挿設されるリンクと、
前記リンクの前進移動に応じて回転するボールシャッターを含み、
前記密閉モジュール組立体は、その先端開口側に外部との空気の循環のために形成された空気循環孔をさらに備え、
前記空気循環孔は、前記先端開口の内側に 円周方向に沿って形成され、前記リンクが移動する方向に向ってのびていることを特徴とする筆記具の組立構造。
【請求項２】
前記密閉モジュール組立体は、二つの前記Ｏリングの間に、前記胴体から前記先端開口に向って、前記ホルダ、前記リンク、及び前記ボールシャッターが配置されていることを特徴とする請求項１に記載の筆記具の組立構造。
【請求項３】
前記密閉モジュール組立体は、前記胴体にネジ締結またはしまりばめ方式で組み立てられることを特徴とする請求項１に記載の筆記具の組立構造。